(57)【要約】【課題】奥行き方向の適正な配置位置に容易に取り付けることが可能な車両用表示装置を提供する。【解決手段】情報を表示するドットマトリクス型の表示器２を備え、車室内における奥行き方向の配置位置を変更可能な車両用表示装置（ＨＵＤ装置）Ａであって、前記情報を表示させる通常表示モードに代えて、少なくとも前記通常表示モードで表示される最小のサイズの文字、数字またはマークと同等のサイズの位置調整指標を表示させる位置調整モードにて表示器２を制御可能な制御手段８を備えてなる。【選択図】  図２
2013241035.tif 000002
【特許請求の範囲】
【請求項１】
情報を表示するドットマトリクス型の表示器を備え、車室内における奥行き方向の配置位置を変更可能な車両用表示装置であって、
前記情報を表示させる通常表示モードに代えて、少なくとも前記通常表示モードで表示される最小のサイズの文字、数字またはマークと同等のサイズの位置調整指標を表示させる位置調整モードにて前記表示器を制御可能な制御手段を備えてなることを特徴とする車両用表示装置。
【請求項２】
前記制御手段は、前記位置調整指標として少なくとも互いに形状が似た複数の文字、数字またはマークを前記表示器に表示させることを特徴とする請求項１に記載の車両用表示装置。
【請求項３】
前記表示器は、前記情報を示す表示光を反射部材に投影して虚像を表示することを特徴とする請求項１または請求項２に記載の車両用表示装置。
【発明の詳細な説明】
【技術分野】
【０００１】
本発明は、車両用表示装置に関するものである。
【背景技術】
【０００２】
従来より、車両用表示装置として、車両のフロントガラスや専用に設けられるコンバイナ等の反射部材に表示器から表示光を投射して虚像を表示するヘッドアップディスプレイ（Head-Up  Display；ＨＵＤ）装置がある（例えば、特許文献１参照）。ＨＵＤ装置は、表示光を反射部材によって観察者（主として運転者）の目に向けて反射することによって虚像を表示するものである。
【０００３】
また、ＨＵＤ装置には車室内のダッシュボード上（例えば、インストルメントパネル上方）に取り付けられる、据え置き型のＨＵＤ装置がある（例えば特許文献２参照）。
【先行技術文献】
【特許文献】
【０００４】
【特許文献１】特開平６−２１９１８４号公報
【特許文献２】特開２００５−１７７９８号公報
【特許文献３】特開平７−２６６９２５号公報
【特許文献４】特開２００２−３０７９７７号公報
【発明の開示】
【発明が解決しようとする課題】
【０００５】
かかる据え置き型のＨＵＤ装置においては、支持面となるダッシュボードの奥行き分だけＨＵＤ装置の奥行き方向（車両の前後方向）の配置位置を任意に定めることが可能である。ＨＵＤ装置は、虚像がなるべく観察者に対して遠方に結像されるように配置することが表示される情報を視認する際の焦点変更に要する時間が短縮されるため望ましいが、観察者の視力によってはＨＵＤ装置の配置位置が遠いと表示される情報が読み取りにくい場合がある。しかしながら、ＨＵＤ装置の奥行き方向の配置位置が適正であるかをＨＵＤ装置の取り付け時に判断することが難しいという問題点があった。これに対し、虚像が表示された状態でＨＵＤ装置を取り付けるとしても、読み取りにくい文字、数字あるいはマークが取り付け時に表示されているとは限らず、取り付け後に情報の読み取りにくさを感じる場合がある。特に、複数種類の情報を切り換えて表示するためにドットマトリクス型の表示器を用いる場合は表示内容によって文字等のサイズも様々であり、取り付け時に全ての表示内容に対して適正な配置位置であるか否かを取り付け時に判断することは難しく、更なる改善の余地があった。また、特許文献３及び４には、虚像の表示位置の調整を行う際に、表示範囲を示すマークを表示したり、表示範囲を全点灯させることで、虚像の表示位置の調整時に表示範囲を視認できるようにするＨＵＤ装置が開示されている。しかし、かかる方法は車両に予め内蔵されたＨＵＤ装置における虚像の上下方向の表示位置調整を容易とするものであり、上述した据え置き型のＨＵＤ装置における奥行き方向の配置位置を調整する際の問題を解消するものではない。
【０００６】
本発明は、この問題点に鑑みてなされたものであり、奥行き方向の適正な配置位置に容易に取り付けることが可能な車両用表示装置を提供することを目的とする。
【課題を解決するための手段】
【０００７】
本発明は、前記課題を解決するため、情報を表示するドットマトリクス型の表示器を備え、車室内における奥行き方向の位置を変更可能な車両用表示装置であって、
前記情報を表示させる通常表示モードに代えて、少なくとも前記通常表示モードで表示される最小のサイズの文字、数字またはマークと同等のサイズの位置調整指標を表示させる位置調整モードにて前記表示器を制御可能な制御手段を備えてなることを特徴とする。
【０００８】
また、前記制御手段は、前記位置調整指標として少なくとも互いに形状が似た複数の文字、数字またはマークを前記表示器に表示させることを特徴とする。
【０００９】
また、前記表示器は、前記情報を示す表示光を反射部材に投影して虚像を表示することを特徴とする。
【発明の効果】
【００１０】
本発明は、車両用表示装置に関するものであって、奥行き方向の適正な配置位置に容易に取り付けることが可能となるものである。
【図面の簡単な説明】
【００１１】
【図１】本発明の実施形態であるＨＵＤ装置を示す全体構成図。
【図２】同上ＨＵＤ装置を示す断面図。
【図３】同上ＨＵＤ装置の電気的構成を示すブロック図。
【図４】同上ＨＵＤ装置の表示例を示す図。
【図５】同上ＨＵＤ装置の表示例を示す図。
【発明を実施するための形態】
【００１２】
以下、添付図面に基づいて、本発明をＨＵＤ装置に適用した実施形態を説明する。
図１は、ＨＵＤ装置Ａの全体構成を示しており、図２は、ＨＵＤ装置Ａの断面図を示している。ＨＵＤ装置Ａは、ハウジング１と、ハウジング１内に配設され表示光Ｌを発する表示器２と、ハウジング１上に配設されるコンバイナ（反射部材）３と、取付部材４と、連結部材５と、固定部材６と、回路基板７と、を備えるものである。
ＨＵＤ装置Ａは、車室内のダッシュボードＢ上（例えば、インストルメントパネル上方）に取り付けられる据え置き型のＨＵＤ装置として構成されている。以下の説明では、ＨＵＤ装置Ａが表示する表示画像を視認する観察者Ｄからみて、上方向を「上」、下方向を「下」、前方向を「前」、後ろ方向を「後」として（図２の両端矢印参照）、適宜、ＨＵＤ装置Ａを構成する各部を説明する。
【００１３】
ハウジング１は、ＡＢＳ等の樹脂材料からなる上ケース１ａと下ケース１ｂとによって構成されており、上ケース１ａと下ケース１ｂとはネジ部１ｃによって固定されている。また、ハウジング１は、内部に表示器２を配設する載置部１ｄを備えている。また、下ケース１ｂの裏面部１ｅには後述する第二の角度調整部を構成する突出部１ｆが形成されている。
【００１４】
表示器２は、ＴＦＴ型の液晶表示素子及びバックライト手段を主に備えるドットマトリクス型の液晶表示器であり、ハウジング１内の載置部１ｄに配設されている。また、表示器２は、下ケース１ｂに配設され、回路基板７と導電コネクタやＦＰＣ等の図示しない接続部材によって電気的に接続されている。なお、表示器２として、ドットマトリクス型の有機ＥＬ表示器や、ＬＥＤ（Light  Emitting  Diode）をマトリクス状に配置したＬＥＤ表示器を用いてもよい。
【００１５】
コンバイナ３は、例えばアクリル等の透光性樹脂をコンバイナ処理してなるものであり、表示器２の上方に位置するようにハウジング１の上ケース１ａに配設固定され、表示器２からの表示光Ｌを観察者Ｄの目に向けて反射する反射部材である。コンバイナ３を反射した表示光Ｌが観察者Ｄの目に入射すると、観察者Ｄはコンバイナ３の前方に形成される表示像の虚像Ｖと風景とを重ねて視認することができる。また、コンバイナ３の周縁部には保護用のゴム３ａが取り付けられている。
【００１６】
取付部材４は、ＡＢＳ等の樹脂材料からなる略平板状の部材であり、両面テープなどのシート状の接着部材（図示しない）を介してダッシュボードＢと接合し、ＨＵＤ装置ＡをダッシュボードＢ上に配置するためのものである。取付部材４は、ハウジング１の下方側、すなわち、下ケース１ｂの裏面部１ｅ側に配設される。取付部材４は、一方（前方）の端部に、下ケース１ｂの裏面部１ｅの中央部よりも外側に位置するように軸部４ａが形成されており、連結部材５を介してハウジング１と連結されている。
【００１７】
連結部材５は、ＡＢＳ等の樹脂材料からなる略平板状の部材であり、一方（前方）の端部が、取付部材４に軸部４ａを中心として回動可能に配設されている。また、連結部材５は、平面部の中央のやや後方寄りに下ケース１ｂの突出部１ｆに対応して孔部５ａが形成されており、孔部５ａに突出部１ｆが嵌入されることで、ハウジング１の裏面部１ｅに突出部１ｆを中心として回動可能に配設されている。
【００１８】
固定部材６は、ＡＢＳ等の樹脂材料からなる略円板状の部材であり、ハウジング１の突出部１ｆ及び連結部材５を覆うように配設され、突出部１ｆ及び連結部材５を下方から支持する。固定部材６は、ネジ部６ａによって突出部１ｆ及び連結部材５を支持した状態にて固定されている。固定部材６は、突出部１ｆ及び連結部材５を支持することによって連結部材５が配置位置から外れることを防止する。
【００１９】
ＨＵＤ装置Ａは、取付部材４と、取付部材４の前記端部に設けられる軸部４ａと、取付部材４に軸部４ａを中心として回動可能に設けられた連結部材５と、によって表示器２を角度移動可能な第一の角度調整部を構成している。ここでいう角度移動とは、取付部材４に対する表示器２の角度を変更するように表示器２を移動させることを言う。観察者Ｄは、かかる第一の角度調整部による角度移動によって虚像Ｖの表示位置を上下方向に調整することができる。
【００２０】
また、ＨＵＤ装置Ａは、ハウジング１の突出部１ｆと、突出部１ｆが孔部５ａに嵌入される連結部材５と、によって表示器２を回転移動可能な第二の角度調整部を構成している。ここでいう回転移動とは、表示器２を、表示器２の表示面に対して略平行に回動させることを言う。観察者Ｄは前記第二の角度調整部による回転移動によって虚像Ｖの表示位置を左右方向に調整することができる。
【００２１】
回路基板７は、ガラス繊維を含む樹脂等からなる板状の基材に、後述する制御手段８（図１においては図示しない）等を表面に実装し、部品間を配線したプリント回路基板である。回路基板７は、ハウジング１の下ケース１ｂに表示器２よりも下方に位置するように図示しない取付部材によって固定される。
【００２２】
図３は、ＨＵＤ装置Ａの電気的構成を示す図である。制御手段８は、ＣＰＵ（Central  Processing  Unit）８ａと、ＲＡＭ（Random  Access  Memory）８ｂと、ＲＯＭ（Read  Only  Memory）８ｃと、データＩ／Ｏ回路８ｄと、駆動回路８ｅと、これらを接続するバスライン等からなる周知のマイクロコンピュータを中心に構成される回路である。
ＣＰＵ８ａは、他の各部８ｂ〜８ｆと接続され、各種演算処理によって表示器２の表示制御や調光制御を行うものである。
ＲＡＭ８ｂは、ＣＰＵ８ａにおける演算処理結果を一時記憶する読み出し及び書き換え可能なワークメモリとして機能するものである。
ＲＯＭ８ｃは、ＣＰＵ８ａを動作させるプログラム等が記憶されるものである。
データＩ／Ｏ回路８ｄは、ＣＡＮ（Controller  Area  Network）と称される相互接続された機器間のデータ通信仕様に基づいて、車両側の各種システムと車両情報（車速やエンジン回転数等の各種検出信号）を取得するものである。
駆動回路８ｅは、ＣＰＵ８ａからの制御信号に応じて表示器２に駆動電流を出力し、表示器２の表示内容の変更や表示光Ｌの輝度調整を行うものである。
【００２３】
図４は、ＨＵＤ装置Ａの通常表示モードにおける表示例を示すものである。なお、図４（ａ）〜（ｃ）において、点線は表示器２の表示範囲を示している。ここで、「通常表示モード」とは、表示器２で報知する各種情報（本実施形態においては車両情報）を表示するモードであり、ドットマトリクス型の表示器２を用いることで、表示する情報やその情報を構成する文字、数字、マークの大きさ（サイズ）の異なる複数の表示形態（図４（ａ）〜（ｃ）に示す第一〜第三の表示形態を参照）が用意されるものである。ＣＰＵ８ａは、後述する位置調整モードへの切換操作がない場合は、前記通常表示モードにて表示器２を制御し、各種情報を表示させる。また、前記通常表示モードにおいて、ＣＰＵ８ａは、図示しない操作スイッチによる手動で、あるいは状況に応じて自動で、複数の表示形態を切り換えて表示器２に表示させる。
図４（ａ）に示す前記第一の表示形態は、１つの車両情報を表示する表示形態であり、図４（ａ）においては車速が表示されている。また、前記第一の表示形態は、表示される情報を構成する文字等のうち最小となるサイズ（前記第一の表示形態においては単位を示す「Ｋｍ／ｈ」なる文字のサイズ）が他の表示形態よりも大きい。
図４（ｂ）に示す前記第二の表示形態は、３つの車両情報を同時に表示する表示形態であり、図４（ｂ）においては車速、電圧及び水温が表示されている。また、前記第二の表示形態は、表示される情報を構成する文字等のうち最小となるサイズ（前記第二の表示形態においては表示項目を示す「ＶＯＬＴ」及び「ＷＡＴＥＲ．Ｔ」なる文字のサイズ）が、前記第一の表示形態よりも小さく、前記第三の表示形態よりも大きい。
図４（ｃ）に示す前記第三の表示形態は、５つの車両情報を同時に表示する表示形態であり、図４（ｃ）においては電圧、水温、車速、総走行距離（オド値）及び区間走行距離（トリップ値）が表示されている。また、前記第三の表示形態は、表示される情報を構成する文字等のうち最小となるサイズ（前記第三の表示形態においては表示項目を示す「ＶＯＬＴ」、「ＷＡＴＥＲ．Ｔ」、「ＯＤＯ」及び「ＴＲＩＰ」なる文字のサイズ）が、他の表示形態よりも小さい。すなわち、本実施形態においては、「通常表示モードで表示される最小のサイズの文字、数字またはマーク」とは、前記第三の表示形態で表示される最小のサイズの文字である「ＶＯＬＴ」、「ＷＡＴＥＲ．Ｔ」、「ＯＤＯ」及び「ＴＲＩＰ」なる文字となる。
【００２４】
図５は、ＨＵＤ装置Ａの位置調整モードにおける表示例を示すものである。「位置調整モード」とは、ＨＵＤ装置Ａの取り付けに際して前記通常表示モードに代えて表示器２を制御するためのモードであり、ＣＰＵ８ａは、前記操作スイッチの操作やあるいは電源スイッチ（図示しない）の長押しなどの所定の切換操作に応じて表示器２を前記位置調整モードにて制御する。
表示器２は、前記位置調整モードにおいて前記通常表示モードにおける車両情報の表示に代えて位置調整指標１１及び枠状マーク１２を表示する。
位置調整指標１１は、前記通常表示モードで表示される最小サイズの文字、数字またはマーク、すなわち、前記第三の表示形態で表示される最小のサイズの文字と同等のサイズであり、互いに形状が似た複数の文字及び数字である「Ｓ」、「Ｃ」、「Ｄ」、「Ｏ」なる文字及び「３」、「６」、「８」、「９」なる数字からなる。ここで、「形状が似た」とは、ドット表示によって表示した場合に文字等を構成する総ドットのうち点灯個所及び非点灯個所がある程度重複し、遠距離で見た場合に区別がしにくいものを言う。なお、位置調整指標１１として、マークを含んでもよい。位置調整指標１１として表示するマークとしては、例えば「○」と「□」とはドット表示において点灯個所及び非点灯個所が相当程度重複し、遠距離での区別がしにくく、「互いに形状が似た」ものと言える。
枠状マーク１２は、表示器２の表示範囲を示すマークである。
【００２５】
ＨＵＤ装置Ａの取り付けに際し、観察者Ｄは、まず前記切換操作によって表示器２を前記位置調整モードにて駆動させ、位置調整指標１１及び枠状マーク１２を虚像Ｖとして表示させる。
次に、観察者Ｄは、位置調整指標１１を参照しながらダッシュボードＢ上の配置位置を定める。このとき、観察者Ｄは、ＨＵＤ装置Ａを仮置きした状態で観察者Ｄの通常時（座席に座った時）の姿勢で位置調整指標１１を視認し、位置調整指標１１として表示される各文字及び数字を区別することができるか否かでＨＵＤ装置Ａの前後方向（奥行き方向）の配置位置が適正な配置位置であるか否かを判断する。ここでいう「適正な配置位置」とは前記通常表示モードのいずれの表示形態においても表示する情報を構成する文字、数字またはマークを区別して視認できる位置を言う。したがって、「適正な配置位置」にはある程度幅があるが、ＨＵＤ装置Ａとしては、適正な配置位置のうちで極力前方に配置することが焦点の調整時間の短縮ができるという観点から望ましい。そして、ＨＵＤ装置Ａの適正な配置位置が定まると、観察者Ｄは、前記接着部材を介して取付部材４をダッシュボードＢと接合する。
次に、観察者Ｄは、枠状マーク１２を参照しながら、前記第一の角度調整部よる虚像Ｖの上下方向への表示位置の調整と、前記第二の角度調整部による左右方向への表示位置の調整と、を行う。このとき、枠状マーク１２の全体が視認できる状態であれば、虚像Ｖの上下方向及び左右方向の表示位置は適正であると言える。
【００２６】
かかるＨＵＤ装置Ａは、ＨＵＤ装置Ａの特に奥行き方向の配置位置を定める際に、制御手段８のＣＰＵ８ａによって、各種情報を表示する前記通常表示モードに代えて、少なくとも前記通常表示モードで表示される最小のサイズの文字、数字またはマークと同等のサイズの位置調整指標１１を表示させる前記位置調整モードにて表示器２を制御するものである。すなわち、ドット表示を行う表示器２が前記通常表示モードにおいて表示する最小サイズの文字等と同等のサイズの位置調整指標１１を表示する特別のモードを備えることよって、観察者ＤはＨＵＤ装置Ａの奥行き方向の配置位置を定める際に常に適正な配置位置であるか否かを虚像Ｖとして表示される位置調整指標１１を参照しながら確認することができ、取り付け後に再度配置位置を変更することなく容易に適正な配置位置にＨＵＤ装置Ａを配置することができる。
また、位置調整指標１１として、少なくとも互いに形状が似た複数の文字、数字またはマークを表示器２に表示させることによって、虚像Ｖとして表示される位置調整指標１１を参照しながら文字等を視認できるか否かの判断に加えて、文字等が正確に判別できるか否かの判断しながらＨＵＤ装置Ａの奥行き方向の配置位置を定めることができ、容易に適正な配置位置にＨＵＤ装置Ａを配置することができる。
【００２７】
なお、本実施形態は、表示器２からの情報を示す表示光Ｌをコンバイナ３に投影して虚像を表示するＨＵＤ装置Ａについて説明したが、車室内のダッシュボードＢ上などに配置され、奥行き方向の配置位置が変更可能な据え置き型の車両用表示装置であれば、観察者Ｄが表示器２の表示画面を直接視認する直視型の車両用表示装置に本発明を適用してもよい。
【００２８】
そのほか、前述の実施形態は本発明の一例を示したものであって、本発明の要旨を逸脱しない範囲内で種々の変更等が可能であることは言うまでもない。
【産業上の利用可能性】
【００２９】
本発明は、車室内のダッシュボード上などに配置される据え置き型の車両用表示装置に広く適用可能である。
【符号の説明】
【００３０】
Ａ    ＨＵＤ装置
Ｂ    ダッシュボード
Ｄ    観察者
Ｌ    表示光
Ｖ    虚像
１    ハウジング
２    表示器
３    コンバイナ（反射部材）
４    取付部材
８    制御手段
８ａ  ＣＰＵ
１１  位置調整指標
１２  枠状マーク
【図１】
2013241035.tif 000003
【図２】
2013241035.tif 000004
【図３】
2013241035.tif 000005
【図４】
2013241035.tif 000006
【図５】
2013241035.tif 000007